【手続補正書】
【提出日】平成16年7月9日(2004.7.9)
【手続補正１】
【補正対象書類名】明細書
【補正対象項目名】発明の名称
【補正方法】変更
【補正の内容】
【発明の名称】画像符号化装置、画像復号装置およびフィルタリング方法
【手続補正２】
【補正対象書類名】明細書
【補正対象項目名】特許請求の範囲
【補正方法】変更
【補正の内容】
【特許請求の範囲】
【請求項１】
入力画像と基準画像から動き補償予測のための動きベクトルを求め、
前記動きベクトルに従って前記基準画像から基準ブロックを得る動き補償予測手段と、
前記基準ブロックと入力画像の差分を符号化する符号化手段と、
前記基準画像内の隣接するブロックの境界にデブロックフィルタリングを行なうフィルタ手段と、前記ブロックの境界毎にデブロックフィルタリングを行なうか否かを判定する判定手段とを備え、
前記判定手段は、動き補償予測に関する符号化パラメータが隣接するブロック間で互いに類似するか否かを評価する手段を含むことを特徴とする画像符号化装置。
【請求項２】
前記符号化パラメータは、前記動きベクトルを含むことを特徴とする、請求項１記載の画像符号化装置。
【請求項３】
前記判定手段において、前記動きベクトルが互いに等しいか否かを評価することを特徴とする、請求項２記載の画像符号化装置。
【請求項４】
前記隣接するブロックの境界は水平境界部と垂直境界部を含み、
前記判定手段は、前記水平境界部および／または前記垂直境界部のデブロックフィルタリングを行なうか否かを判定することを特徴とする、前記請求項１記載の画像符号化装置。
【請求項５】
符号化データから動き補償予測のための動きベクトルを復号し、前記動きベクトルに従って基準画像から基準ブロックを得る動き補償予測手段と、
前記基準ブロックと復号された差分ブロックから画像を復号する復号手段と、
前記基準画像内の隣接するブロックの境界にデブロックフィルタリングを行なうフィルタ手段と、前記ブロックの境界毎にデブロックフィルタリングを行なうか否かを判定する判定手段とを備え、
前記判定手段は、動き補償予測に関する符号化パラメータが隣接するブロック間で互いに類似するか否かを評価する手段を含むことを特徴とする画像復号装置。
【請求項６】
前記符号化パラメータは、前記動きベクトルを含むことを特徴とする、請求項５記載の画像復号装置。
【請求項７】
前記判定手段において、前記動きベクトルが互いに等しいか否かを評価することを特徴とする、請求項６記載の画像復号装置。
【請求項８】
前記隣接するブロックの境界は水平境界部と垂直境界部を含み、
前記判定手段は、前記水平境界部および／または前記垂直境界部のデブロックフィルタリングを行なうか否かを判定することを特徴とする、前記請求項５記載の画像復号装置。
【請求項９】
画像内の隣接するブロックを識別するブロック識別ステップと、
前記隣接するブロックの符号化に際して用いられる動き補償予測に関する符号化パラメータを識別するパラメータ識別ステップと、
前記隣接するブロックの境界にデブロックフィルタリングを行なうか否かを判定する判定ステップとを含み、
前記判定ステップは、前記符号化パラメータが隣接するブロック間で互いに類似するか否かを評価するステップを含むことを特徴とするフィルタリング方法。
【請求項１０】
前記符号化パラメータは、動き補償予測に用いる動きベクトルを含むことを特徴とする、請求項９記載のフィルタリング方法。
【請求項１１】
前記判定ステップは、前記動きベクトルが互いに等しいか否かを評価するステップを含むことを特徴とする、請求項１０記載のフィルタリング方法。
【請求項１２】
前記隣接するブロックの境界は水平境界部と垂直境界部を含み、
前記判定ステップは、前記水平境界部および／または前記垂直境界部のデブロックフィルタリングを行なうか否かを判定することを特徴とする、前記請求項９記載のフィルタリング方法。
【手続補正３】
【補正対象書類名】明細書
【補正対象項目名】０００１
【補正方法】変更
【補正の内容】
【０００１】
【発明の属する技術分野】
本発明は選択的な画像フィルタリングを行うための方法、画像の符号化または復号化を実行するための装置に関し、より詳細には、動き補償を行う画像符号化及び復号化技術に関する。
【手続補正４】
【補正対象書類名】明細書
【補正対象項目名】０００６
【補正方法】変更
【補正の内容】
【０００６】
本発明は従来技術に関連する上述のごとくの問題およびその他の問題に焦点をあてたもので、ブロックに基づく動き補償されたビデオ符号化におけるループフィルタリング及びポストフィルタリングを制御してブロッキングアーティファクトを減少させるようにした選択的な画像フィルタリングを行うための方法、画像の符号化または復号化を実行するための装置を提供することを目的とするものである。
【手続補正５】
【補正対象書類名】明細書
【補正対象項目名】０００７
【補正方法】変更
【補正の内容】
【０００７】
【課題を解決するための手段】
第１の技術手段は、入力画像と基準画像から動き補償予測のための動きベクトルを求め、前記動きベクトルに従って前記基準画像から基準ブロックを得る動き補償予測手段と、前記基準ブロックと入力画像の差分を符号化する符号化手段と、前記基準画像内の隣接するブロックの境界にデブロックフィルタリングを行なうフィルタ手段と、前記ブロックの境界毎にデブロックフィルタリングを行なうか否かを判定する判定手段とを備え、前記判定手段は、動き補償予測に関する符号化パラメータが隣接するブロック間で互いに類似するか否かを評価する手段を含むことを特徴としたものである。
【手続補正６】
【補正対象書類名】明細書
【補正対象項目名】０００８
【補正方法】変更
【補正の内容】
【０００８】
第２の技術手段は、第１の技術手段において、前記符号化パラメータは、前記動きベクトルを含むことを特徴としたものである。
【手続補正７】
【補正対象書類名】明細書
【補正対象項目名】０００９
【補正方法】変更
【補正の内容】
【０００９】
第３の技術手段は、第２の技術手段において、前記判定手段において、前記動きベクトルが互いに等しいか否かを評価することを特徴としたものである。
【手続補正８】
【補正対象書類名】明細書
【補正対象項目名】００１０
【補正方法】変更
【補正の内容】
【００１０】
第４の技術手段は、第１の技術手段において、前記隣接するブロックの境界は水平境界部と垂直境界部を含み、前記判定手段は、前記水平境界部および／または前記垂直境界部のデブロックフィルタリングを行なうか否かを判定することを特徴としたものである。
【手続補正９】
【補正対象書類名】明細書
【補正対象項目名】００１１
【補正方法】変更
【補正の内容】
【００１１】
第５の技術手段は、符号化データから動き補償予測のための動きベクトルを復号し、前記動きベクトルに従って基準画像から基準ブロックを得る動き補償予測手段と、前記基準ブロックと復号された差分ブロックから画像を復号する復号手段と、前記基準画像内の隣接するブロックの境界にデブロックフィルタリングを行なうフィルタ手段と、前記ブロックの境界毎にデブロックフィルタリングを行なうか否かを判定する判定手段とを備え、前記判定手段は、動き補償予測に関する符号化パラメータが隣接するブロック間で互いに類似するか否かを評価する手段を含むことを特徴としたものである。
【手続補正１０】
【補正対象書類名】明細書
【補正対象項目名】００１２
【補正方法】変更
【補正の内容】
【００１２】
第６の技術手段は、第５の技術手段において、前記符号化パラメータは、前記動きベクトルを含むことを特徴としたものである。
【手続補正１１】
【補正対象書類名】明細書
【補正対象項目名】００１３
【補正方法】変更
【補正の内容】
【００１３】
第７の技術手段は、第６の技術手段において、前記判定手段において、前記動きベクトルが互いに等しいか否かを評価することを特徴としたものである。
【手続補正１２】
【補正対象書類名】明細書
【補正対象項目名】００１４
【補正方法】変更
【補正の内容】
【００１４】
第８の技術手段は、第５の技術手段において、前記隣接するブロックの境界は水平境界部と垂直境界部を含み、前記判定手段は、前記水平境界部および／または前記垂直境界部のデブロックフィルタリングを行なうか否かを判定することを特徴としたものである。
【手続補正１３】
【補正対象書類名】明細書
【補正対象項目名】００１５
【補正方法】変更
【補正の内容】
【００１５】
第９の技術手段は、画像内の隣接するブロックを識別するブロック識別ステップと、前記隣接するブロックの符号化に際して用いられる動き補償予測に関する符号化パラメータを識別するパラメータ識別ステップと、前記隣接するブロックの境界にデブロックフィルタリングを行なうか否かを判定する判定ステップとを含み、前記判定ステップは、前記符号化パラメータが隣接するブロック間で互いに類似するか否かを評価するステップを含むことを特徴としたものである。
【手続補正１４】
【補正対象書類名】明細書
【補正対象項目名】００１６
【補正方法】変更
【補正の内容】
【００１６】
第１０の技術手段は、第９の技術手段において、前記符号化パラメータは、動き補償予測に用いる動きベクトルを含むことを特徴としたものである。
【手続補正１５】
【補正対象書類名】明細書
【補正対象項目名】００１７
【補正方法】変更
【補正の内容】
【００１７】
第１１の技術手段は、第１０の技術手段において、前記判定ステップは、前記動きベクトルが互いに等しいか否かを評価するステップとを含むことを特徴としたものである。
【手続補正１６】
【補正対象書類名】明細書
【補正対象項目名】００１８
【補正方法】変更
【補正の内容】
【００１８】
第１２の技術手段は、第９の技術手段において、前記隣接するブロックの境界は水平境界部と垂直境界部を含み、前記判定ステップは、前記水平境界部および／または前記垂直境界部のデブロックフィルタリングを行なうか否かを判定することを特徴としたものである。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】